(57)【特許請求の範囲】
【請求項１】
少なくとも、原料融液を収容するルツボと、前記原料融液を加熱するヒータを格納するメインチャンバーと、該メインチャンバーの底部に設置され前記ルツボから漏れてくる融液を収容する湯漏れ受け皿と、該湯漏れ受け皿に配設され湯漏れを検出する湯漏れ検出器とを具備したチョクラルスキー法によって単結晶インゴットを製造する単結晶引上げ装置であって、少なくとも、
前記湯漏れ検出器が、異なる高さ位置で温度を測定する２以上の温度測定手段と、該２以上の温度測定手段の測定値の変化により湯漏れを検出する湯漏れ検出手段とを有するものであることを特徴とする単結晶引上げ装置。
【請求項２】
前記湯漏れ検出手段が、前記２以上の温度測定手段の測定値の差の変化により湯漏れを検出するものであることを特徴とする請求項１に記載の単結晶引上げ装置。
【請求項３】
前記湯漏れ検出器が、少なくとも、前記湯漏れ受け皿の底面位置の−１０〜＋１０ｍｍの高さ位置で温度を測定する温度測定手段と、前記湯漏れ受け皿の底面位置の＋２０ｍｍ〜前記ヒータの下端位置の高さ位置で温度を測定する温度測定手段とを有するものであることを特徴とする請求項１又は請求項２に記載の単結晶引上げ装置。
【請求項４】
前記湯漏れ検出器の上方に、前記ルツボから漏れてくる融液を前記２以上の温度測定手段のいずれかの測定位置に誘導する誘導構造が設けられたものであることを特徴とする請求項１乃至請求項３のいずれか一項に記載の単結晶引上げ装置。
【請求項５】
前記２以上の温度測定手段が、熱電対又は放射温度計であることを特徴とする請求項１乃至請求項４のいずれか一項に記載の単結晶引上げ装置。
【発明の詳細な説明】
【技術分野】
【０００１】
本発明は、チョクラルスキー法により、単結晶棒を成長させる単結晶引上げ装置の湯漏れ検出に関するものである。
【背景技術】
【０００２】
例えば半導体シリコン単結晶棒製造に用いられる従来のチョクラルスキー法による単結晶引上げ装置の一例を図７により説明する。
図７に示すように、単結晶引上げ装置１０１は、メインチャンバー１０２と、メインチャンバー１０２中に設けられたルツボ１０３と、ルツボ１０３の周囲に配置されたヒータ１０６と、ルツボ１０３を回転させるルツボ保持軸１１０及びその回転機構（不図示）と、シリコンの種結晶１１３を保持するシードチャック１１４と、シードチャック１１４を引上げるワイヤ１１５と、ワイヤ１１５を回転または巻き取る巻き取り機構（不図示）を備えて構成されている。ルツボ１０３は、その内側の原料シリコン融液（湯）１０５を収容する側には石英ルツボ１０３ａが設けられ、その外側には黒鉛ルツボ１０３ｂが設けられている。また、ヒータ１０６の外側周囲にはヒータ断熱材１０７が設置され、ルツボ１０３の下方には断熱板１０４が配置されている。
【０００３】
次に、上記の単結晶引上げ装置１０１による単結晶育成方法について説明する。まず、ルツボ１０３内でシリコンの高純度多結晶原料を融点（約１４２０℃）以上に加熱して融解する。そして、ワイヤ１１５を巻き出すことにより湯面の略中心部に種結晶１１３の先端を接触または浸漬させる。その後、ルツボ保持軸１１０を適宜の方向に回転させるとともに、ワイヤ１１５を回転させながら巻き取り、種結晶１１３を引上げることにより、単結晶育成が開始される。以後、引上げ速度と温度を適切に調節することにより略円柱形状の単結晶１１２を得ることができる。
【０００４】
上記した単結晶引上げ装置１０１における石英ルツボ１０３ａおよび黒鉛ルツボ１０３ｂは、共に高い耐熱性を有しているが、石英ルツボ１０３ａは、耐衝撃性に乏しいという欠点がある。そこで、単結晶引上げに際し、多結晶原料をルツボ１０３に投入すると、その衝撃によって石英ルツボ１０３ａに亀裂が入ることがあり、そこから融液１０５が漏れる恐れがある。また、多結晶原料投入時にルツボ１０３内の湯がルツボ１０３の周囲に飛散することもある。さらに、使用により徐々に石英ルツボ１０３ａが劣化したり、引上げ中の単結晶１１２が落下した場合には、石英ルツボ１０３ａ及び黒鉛ルツボ１０３ｂが破壊されて湯のほぼ全量が流出してしまう可能性もある。
【０００５】
このように、高温の融液１０５がルツボ１０３外へ流出、飛散すると、ルツボ１０３の周りからメインチャンバー１０２の底部に至り、メインチャンバー１０２の底部やヒータ用端子部あるいはルツボ保持軸１１０等の金属部やルツボ駆動装置、下部冷却水配管等を侵食することになる。特に高温のシリコンは反応性が高く、金属に対する侵食作用が強いため、冷却水配管等が侵食されやすく、水蒸気爆発が発生する危険性がある。また、装置外に溢れ出すとそれが原因で事故等が発生する可能性がある。
【０００６】
そこで、図７に示す装置では、全溶融原料を収容することができる内容積を有する湯漏れ受け皿１１７をメインチャンバー１０２の底部に設置して、さらに、その湯漏れ受け皿１１７に、測定温度の変化により湯漏れを検出する湯漏れ検出器１１８を配設して、その上部の断熱板１０４に穴を開けて、湯漏れ検出器１１８の温度測定位置に融液が直接到達るような誘導構造１１６を設けている（特許文献１参照）。
【先行技術文献】
【特許文献】
【０００７】
【特許文献１】特開２００９−２１５１２６号公報
【発明の概要】
【発明が解決しようとする課題】
【０００８】
上記のような湯漏れ検出器と誘導構造を備えた装置を用いる事により、大量の湯漏れが発生した場合には正しく異常を感知することができるようになったが、比較的少量の湯漏れでは、漏れた融液による温度上昇量が少ないために、誤検出を起こしやすいことがわかってきた。例えば、ホットゾーン構造（炉内構造）を変えた場合には、湯漏れ検出器により測定される温度が大幅に異なるため、絶対値での湯漏れ判定を行うには、ホットゾーン毎にその判定基準を変更する必要があった。また、種付け前の条件設定等でヒータ位置を高速に移動する場合には、測定温度が急激に変化するため、温度上昇による判定では誤検出を起こす場合もあった。
【０００９】
本発明は、上記問題点に鑑みてなされたものであって、単結晶引上げ装置におけるルツボからの湯漏れを高感度かつ高精度に検出できる単結晶引上げ装置を提供することを目的とする。
【課題を解決するための手段】
【００１０】
上記目的を達成するために、本発明は、少なくとも、原料融液を収容するルツボと、前記原料融液を加熱するヒータを格納するメインチャンバーと、該メインチャンバーの底部に設置され前記ルツボから漏れてくる融液を収容する湯漏れ受け皿と、該湯漏れ受け皿に配設され湯漏れを検出する湯漏れ検出器とを具備したチョクラルスキー法によって単結晶インゴットを製造する単結晶引上げ装置であって、少なくとも、前記湯漏れ検出器が、異なる高さ位置で温度を測定する２以上の温度測定手段と、該２以上の温度測定手段の測定値の変化により湯漏れを検出する湯漏れ検出手段とを有するものであることを特徴とする単結晶引上げ装置を提供する。
【００１１】
このように、単結晶引上げ装置の湯漏れ検出器が、異なる高さ位置で温度を測定する２以上の温度測定手段と、２以上の温度測定手段の測定値の変化により湯漏れを検出する湯漏れ検出手段とを有するものであれば、異なる高さ位置の温度を２以上の温度測定手段により測定して、その測定値の変化を比べることで、湯漏れ以外の要因の温度変化による誤検出を低減でき、湯漏れを正確に検出することができる。このため、わずかな湯漏れでも高精度に検出可能であり、安全で効率的に単結晶を製造できる装置となる。
【００１２】
このとき、前記湯漏れ検出手段が、前記２以上の温度測定手段の測定値の差の変化により湯漏れを検出するものであることが好ましい。
このように、湯漏れ検出手段が、２以上の温度測定手段の測定値の差の変化により湯漏れを検出するものであれば、より正確な湯漏れ検出を簡易に行うことができる装置となる。
【００１３】
このとき、前記湯漏れ検出器が、少なくとも、前記湯漏れ受け皿の底面位置の−１０〜＋１０ｍｍの高さ位置で温度を測定する温度測定手段と、前記湯漏れ受け皿の底面位置の＋２０ｍｍ〜前記ヒータの下端位置の高さ位置で温度を測定する温度測定手段とを有するものであることが好ましい。
このように、湯漏れ受け皿の底面位置の−１０〜＋１０ｍｍの高さ位置で温度を測定する温度測定手段であれば、漏れてきた融液による温度変化を高感度で測定でき、また、湯漏れ受け皿の底面位置の＋２０ｍｍ〜ヒータの下端位置の高さ位置で温度を測定する温度測定手段であれば、漏れてきた融液による測定温度への影響は少ないため、これら二つの温度測定手段を有することで、より高感度、高精度の湯漏れ検出を行うことができる装置となる。
【００１４】
このとき、前記湯漏れ検出器の上方に、前記ルツボから漏れてくる融液を前記２以上の温度測定手段のいずれかの測定位置に誘導する誘導構造が設けられたものであることが好ましい。
このように、湯漏れ検出器の上方に、ルツボから漏れてくる融液を２以上の温度測定手段のいずれかの測定位置に誘導する誘導構造が設けられたものであれば、わずかな湯漏れでも早い段階での正確な検出が可能な装置となる。
【００１５】
このとき、前記２以上の温度測定手段が、熱電対又は放射温度計であることが好ましい。
このように、２以上の温度測定手段が、熱電対又は放射温度計であれば、温度変化を高感度に測定することができ、より正確な湯漏れ検出が可能な装置となる。
【発明の効果】
【００１６】
以上のように、本発明の単結晶引上げ装置によれば、単結晶の製造において、わずかな湯漏れでも高感度かつ高精度に検出することができ、安全で効率的な単結晶製造を実施することができる。
【図面の簡単な説明】
【００１７】
【図１】本発明の単結晶引上げ装置の実施態様の一例を示す概略図である。
【図２】本発明の単結晶引上げ装置の湯漏れ検出器の温度測定手段の一例を示す概略図である。
【図３】本発明の単結晶引上げ装置の実施態様の他の一例を示す概略図である。
【図４】単結晶引上げ装置において、ヒータの移動による温度測定手段の測定温度の変化を示すグラフである。
【図５】ホットゾーン構造の異なる単結晶引上げ装置において、原料溶融中の温度測定手段の測定温度を示すグラフである。
【図６】単結晶引上げ装置で単結晶を引上げ中に湯漏れが発生した際の温度測定手段の測定温度を示すグラフである。
【図７】従来の単結晶引上げ装置の例を示す概略図である。
【発明を実施するための形態】
【００１８】
以下、本発明の単結晶引上げ装置について、実施態様の一例として、図を参照しながら詳細に説明するが、本発明はこれに限定されるものではない。
図１は、本発明の単結晶引上げ装置の実施態様の一例を示す概略図である。図２は、本発明の単結晶引上げ装置の湯漏れ検出器の温度測定手段の一例を示す概略図である。
【００１９】
図１に示す本発明の単結晶引上げ装置１１は、チョクラルスキー法により、ルツボ１３内の原料融液１５にシードチャック２４に保持された種結晶２３を浸漬させて、その後ワイヤ２５により引き上げながら単結晶２２を育成する装置である。
【００２０】
このような本発明の単結晶引上げ装置１１は、メインチャンバー１２内に原料融液１５を収容するルツボ１３が設けられ、原料融液１５を加熱するヒータ２６と、ルツボ１３を回転昇降動させるルツボ保持軸１０及びその回転機構（不図示）を具備している。
ルツボ１３は、その内側の原料融液（湯）１５を収容する側には石英ルツボ１３ａが設けられ、その外側にはこれを保護する黒鉛ルツボ１３ｂが設けられている。また、ルツボ１３の外周にはヒータ２６が、ヒータ２６の外側周囲にはヒータ２６からの熱がメインチャンバー１２内壁に直接輻射されるのを防止するためのヒータ断熱材１９が配置されている。
【００２１】
そして、メインチャンバー１２の底部の内壁面に接して湯漏れ受け皿１７が設置されている。この湯漏れ受け皿１７をメインチャンバー１２底部に嵌め込むことによって湯漏れ受け皿１７はメインチャンバー１２の底部内壁面のほぼ全面に密着する。また、湯漏れ受け皿１７とルツボ１３の間には、例えばＣＩＰ材（等方性黒鉛）で成形断熱材を挟むように構成した３層構造の断熱板１４を配置することもできる。
【００２２】
そして、上記のような本発明の単結晶引上げ装置１１は、湯漏れ受け皿１７に湯漏れを検出するための湯漏れ検出器２７が配設され、湯漏れ検出器２７は、異なる高さ位置で温度を測定する２以上の温度測定手段１８ａ、１８ｂと、２以上の温度測定手段１８ａ、１８ｂの測定値の変化により湯漏れを検出する湯漏れ検出手段２８とを有するものである。
このような装置１１であれば、測定する高さ位置が低い方の温度測定手段１８ａは湯漏れ受け皿１７に収容された融液１５による温度変化を感度良く測定できる。また、測定する高さ位置が高い方の温度測定手段１８ｂは、湯漏れ受け皿１７に収容された漏れてきた融液１５には測定温度が影響されにくく、測定温度の変化は温度測定手段１８ａに比べて小さいものとなる。一方、ホットゾーン構造の変更や、ヒータ２６の移動による温度変化は温度測定手段１８ａ、１８ｂの両方の測定温度に同様に影響する。これにより、本発明であれば、相対的な温度変化で湯漏れを検出でき、他の外乱要因による誤検出を低減して、わずかな湯漏れでも、高感度、高精度の検出が可能な装置となる。
【００２３】
この際、湯漏れ検出手段２８が、２以上の温度測定手段１８ａ、１８ｂの測定値の差の変化により湯漏れを検出するものであることが好ましい。
測定値の差の変化であれば、相対的な温度変化を簡易な方法で検出でき、湯漏れをより精度高く検出することができる。
【００２４】
本発明の温度測定手段１８ａ、１８ｂとしては、例えば熱電対とすることができる。
この場合、例えば図２に示すように、メインチャンバー１２の底部の外側から、熱電対である温度測定手段１８ａが組み込まれたモジュール２０を挿入し、このモジュール２０側面とチャンバー１２間、並びに、温度測定手段（熱電対）１８ａの取り出し口で真空シールを行う構造となっている。温度測定手段（熱電対）１８ａは、上部からステンレス製の保護キャップ３０でカバーされるが、その保護キャップ３０の下部にはスプリング２１が埋め込まれており、これにより、保護キャップ３０の上面が、湯漏れ受け皿１７にねじ結合されたＣＩＰ材製の保護カバー２９の内面と密着することができる。湯漏れ受け皿１７底面より高い位置で温度測定する温度測定手段１８ｂについても構造は同じであるが、ステンレス製の保護キャップ３０と、保護カバー２９を上方に延長することで、温度測定手段（熱電対）１８ｂを温度を測定する高い位置まで延長することができる。
【００２５】
温度測定手段１８ａ、１８ｂである熱電対にも、ある程度の個体差はあり、また保護キャップ３０と保護カバー２９の接触圧にも多少のバラツキがあるため、両温度測定手段１８ａ、１８ｂの測定温度には少なからずズレが存在する場合がある。このため、原料の溶融開始から５時間経過して、全ての原料の溶融はまだだが、炉内が明るくなり始めた時点で差分値のゼロ補正を行うことで、検出精度の向上を図ることができる。室温でも補正は可能だが、なるべく高温での補正を行うほうが望ましく、一方、原料が全て溶解してからではその間の湯漏れ検出精度が低くなるため、上記のタイミングが好ましい。
【００２６】
なお、温度測定手段１８ａ、１８ｂとしては、熱電対に限定されず、赤外線の放射エネルギーによって温度を測定する放射温度計を用いることもできる。その場合は、モジュール２０の取り出し口から光ファイバーを熱電対の代わりに挿入し、保護キャップ３０が放出する赤外線放射エネルギーを炉外に設置した放射温度計に取り込むことで、温度測定が可能となる。
【００２７】
また、図２に示すように、湯漏れ検出器２７が、湯漏れ受け皿１７の底面位置の−１０〜＋１０ｍｍの高さ位置で温度を測定する温度測定手段１８ａと、湯漏れ受け皿の底面位置の＋２０ｍｍ〜前記ヒータの下端位置の高さ位置で温度を測定する温度測定手段１８ｂとを有するものであることが好ましい。例えば、図２の場合には、温度測定手段１８ａが湯漏れ受け皿１７の底面位置の−７ｍｍの高さ位置で温度を測定するものであり、温度測定手段１８ｂが湯漏れ受け皿１７の底面位置の＋４３ｍｍの高さ位置で温度を測定するものである。
湯漏れ受け皿１７の底面位置の−１０〜＋１０ｍｍの高さ位置で温度を測定する温度測定手段１８ａであれば、漏れてきた融液１５による温度変化をより高感度に測定でき、また、湯漏れ受け皿の底面位置の＋２０ｍｍ〜前記ヒータの下端位置の高さ位置で温度を測定する温度測定手段１８ｂであれば、漏れてきた融液１５による測定温度への影響はあまり大きくないため、湯漏れによる測定温度変化の違いがより明確に生じる。従って、両者の測定値の差により、湯漏れを即座にかつ高精度で検出できる。このとき、ヒータ位置を変更することが可能な単結晶引上げ装置の場合は、温度測定手段１８ｂの高さの上限をヒータの可動範囲の下端位置とすることにより、ヒータの位置を移動させた場合であっても、ヒータの影響を確実に防ぐことができる。
【００２８】
また、湯漏れ検出器２７の上方に、ルツボ１３から漏れてくる融液１５を２以上の温度測定手段１８ａ、１８ｂのいずれかの測定位置に誘導する誘導構造１６が設けられたものであることが好ましい。誘導構造１６としては、例えば図１に示すように、湯漏れ検出器２７の上方の断熱板１４の内周端と外周端に高さ１０ｍｍ程度の堰３１を設けて、漏れてきた融液１５が断熱板１４上に一定量溜まるようにし、温度測定手段１８ａの直上の貫通孔から湯漏れ受け皿１７内に落ちて収容されるようにすることで、落ちてきた融液１５が温度測定手段１８ａに直接到達するように誘導する誘導構造１６を設けることができる。
このような、誘導構造１６を設けることで、湯漏れが発生した場合には、漏れた融液１５がいち早く温度測定手段１８ａに到達するため、より高感度に湯漏れを検出することができる。図１のような温度測定手段１８ａ、１８ｂが二つの場合には、漏れた融液を、低い位置で温度を測定する温度測定手段１８ａのみに誘導するようにすると、温度測定手段１８ｂとの温度変化の違いがより明確になるため湯漏れ検出がより高精度になる。
【００２９】
以上のような本発明の単結晶引上げ装置によれば、単結晶の製造において、わずかな湯漏れでも高感度に検出することができ、安全で効率的な単結晶製造を実施することができる。
【実施例】
【００３０】
以下、実施例及び比較例を示して本発明をより具体的に説明するが、本発明はこれらに限定されるものではない。
（実施例）
図１、２に示すような本発明の単結晶引上げ装置１１を用いてシリコンの多結晶原料の溶融を行った。
また、図１に示す単結晶引上げ装置１１と基本構造は同じ、ただしホットゾーンの構造が異なる図３に示す単結晶引上げ装置１１’を用いて溶融を行った。図３に示すように、単結晶引上げ装置１１’のヒータ断熱材１９’は、ヒータ２６の上方を覆うような構造になっている。この場合、図１の単結晶引上げ装置１１と同一のパワー条件ではホットゾーンが異なるため溶融時間が短くなるので、図３の単結晶引上げ装置１１’の溶融では、溶融時間が同じになるように、図１の単結晶引上げ装置１１よりもパワーを小さくした。
【００３１】
これらの装置を用いて原料を溶融した際の温度測定手段１８ａ、１８ｂによる測定温度を図５に示す。図１の単結晶引上げ装置１１での測定温度をホットゾーン１、図３の単結晶引上げ装置１１’での測定温度をホットゾーン２としてグラフに示した。
図５に示すように、ホットゾーン２の方がパワーは低く設定してあるため、温度測定手段１８ａ、１８ｂが測定した温度も低くなる。従来法のように、一つの温度測定手段を用いて絶対温度で湯漏れの発生を検出する場合、図５のようにホットゾーンの構造によって１００℃以上の差があるため、正確に湯漏れを検出することは不可能である。一方、本発明によれば、ホットゾーンが異なっても、温度測定手段１８ａと温度測定手段１８ｂにより測定された温度の差分は、いずれのホットゾーンでも３０℃以内に収まっている。
【００３２】
次に、図１の単結晶引上げ装置１１の溶融終了後に、故意にヒータ２６の位置を手動にて上下に移動させた場合の測定温度とヒータ位置の関係を図４に示す。
図４に示すように、ヒータ２６を１００ｍｍ下げただけで、即座に測定温度が１５０℃程度上昇している。数分後、ヒータ位置を元に戻す場合も同程度の温度低下が見られている。本発明で追加した測定する高さ位置の異なる温度測定手段１８ｂでも同様な挙動を示すものの、温度測定手段１８ａとの差分は２０〜３０℃程度で済むことから、手動操作等のヒータ移動による急激な温度変化が起きても、両者の差分による湯漏れ検出方法であれば、ヒータ移動を湯漏れとしてしまう誤検出をしなくてすむことがわかる。
【００３３】
次に、図１の単結晶引上げ装置１１を用いて直胴成長中に湯漏れが発生した際の測定温度を図６に示す。
直胴成長中の測定温度は安定しているが、湯漏れの発生によって温度上昇が見られる。漏れた融液は誘導構造１６を有する断熱板１４により、温度測定手段１８ａ付近に落下し、その周囲にて熱を放出するため、温度測定手段１８ａの測定温度は急上昇している。一方、温度測定手段１８ｂの測定温度は、湯漏れ受け皿１７に溜まった融液による放射熱によって温度上昇傾向にはあるが、温度測定手段１８ａほどには上昇していない。
【００３４】
従来法では、測定温度がある一定の温度基準を超えた場合、ならびに、ある一定の温度上昇速度を検知した場合に警報を出力していたが、上記のホットゾーンの構造の変更や、ヒータ移動等で誤検出することが多々あった。本発明では、図６に示すように、温度測定手段１８ａの測定温度から温度測定手段１８ｂの測定温度を差し引いた値が、図６に示すような明確な変化が見られるため、上記値がある一定の基準値を超えた場合に警報出力するようにすることで、高精度に湯漏れを検出することができる。もちろん、湯漏れの判定は、測定値の差によるもののみならず、両者の測定値の変化率の差や、比を取ることによって判定することもできる。
【００３５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００３６】
１０…ルツボ保持軸、  １１、１１’…単結晶引上げ装置、
１２…メインチャンバー、  １３…ルツボ、  １３ａ…石英ルツボ、
１３ｂ…黒鉛ルツボ、  １４…断熱板、  １５…融液、  １６…誘導構造、
１７…湯漏れ受け皿、  １８ａ、１８ｂ…温度測定手段、
１９、１９’…ヒータ断熱材、  ２０…モジュール、  ２１…スプリング、
２２…単結晶、  ２３…種結晶、  ２４…シードチャック、  ２５…ワイヤ、
２６…ヒータ、  ２７…湯漏れ検出器、  ２８…湯漏れ検出手段、
２９…保護カバー、  ３０…保護キャップ、  ３１…堰。
【図１】
0005392051.tif 000002
【図２】
0005392051.tif 000003
【図３】
0005392051.tif 000004
【図４】
0005392051.tif 000005
【図５】
0005392051.tif 000006
【図６】
0005392051.tif 000007
【図７】
0005392051.tif 000008